(57)【特許請求の範囲】
【請求項１】
少なくとも１つ以上の文字を含む文字列の認識結果を示す認識結果文字列を表示するための認識結果表示手段と、
前記認識結果表示手段により表示された前記認識結果文字列における誤り文字列を指定する指定手段と、
前記指定手段により指定された文字列を修正するために用いられる１つ以上の候補文字列を生成して表示する候補文字列生成表示手段と、
前記候補文字列生成表示手段により表示された前記候補文字列中の所望の候補文字列が選択されると、選択された前記候補文字列を用いて、前記誤り文字列を修正することにより前記認識結果文字列を修正するための修正手段とを備え、
前記候補文字列生成表示手段は、
前記１つ以上の候補文字列のうちのある候補文字列における誤り文字列を指定するための候補指定手段と、
前記候補指定手段により指定された前記誤り文字列を修正するために用いられる１つ以上の前記候補文字列を生成して表示する第１候補文字列生成表示手段と、
前記第１候補文字列生成表示手段により生成された候補文字列中の所望される候補文字列を用いて、前記候補指定手段により指定された前記ある候補文字列を、その前記誤り文字列を修正して表示する候補修正手段とを含み、
前記候補指定手段により前記誤り文字列が指定される前記候補文字列は、前記指定手段により指定された文字列を修正するために用いられる候補文字列、または、前記第１候補文字列生成表示手段により生成されて表示される前記候補文字列であって、
前記候補文字列生成表示手段では、
前記修正手段において前記所望の候補文字列が選択されるまでは、前記候補指定手段により前記ある候補文字列における誤り文字列が指定される毎に、前記第１候補文字列生成表示手段を用いて、該指定された誤り文字列における、または該指定された誤り文字列に含まれる各文字における認識単位となる区切りを示す切出し位置を可変としながら、１つ以上の前記候補文字列を生成し、生成された候補文字列中の所望される候補文字列を用いて、前記候補指定手段により指定された前記ある候補文字列を、その前記誤り文字列を修正して表示することを繰返す、文字認識誤り修正装置。
【請求項２】
文字認識誤り修正方法をコンピュータに実行させるための文字認識誤り修正プログラムを記録したコンピュータで読取可能な記録媒体であって、
前記文字認識誤り修正方法は、
少なくとも１つ以上の文字を含む文字列の認識結果を示す認識結果文字列を表示するための認識結果表示ステップと、
前記認識結果表示ステップにより表示された前記認識結果文字列における誤り文字列を指定する指定ステップと、
前記指定ステップにより指定された文字列を修正するために用いられる１つ以上の候補文字列を生成して表示する候補文字列生成表示ステップと、
前記候補文字列生成表示ステップにより表示された前記候補文字列中の所望の候補文字列が選択されると、選択された前記候補文字列を用いて、前記誤り文字列を修正することにより前記認識結果文字列を修正するための修正ステップとを備え、
前記候補文字列生成表示ステップは、
前記１つ以上の候補文字列のうちのある候補文字列における誤り文字列を指定するための候補指定ステップと、
前記候補指定ステップにより指定された前記誤り文字列を修正するために用いられる１つ以上の前記候補文字列を生成して表示する第１候補文字列生成表示ステップと、
前記第１候補文字列生成表示ステップにより生成された候補文字列中の所望される候補文字列を用いて、前記候補指定ステップにより指定された前記ある候補文字列を、その前記誤り文字列を修正して表示する候補修正ステップとを含み、
前記候補指定ステップにより前記誤り文字列が指定される前記候補文字列は、前記指定ステップにより指定された文字列を修正するために用いられる候補文字列、または、前記第１候補文字列生成表示ステップにより生成されて表示される前記候補文字列であって、
前記候補文字列生成表示ステップでは、
前記修正ステップにおいて前記所望の候補文字列が選択されるまでは、前記候補指定ステップにより前記ある候補文字列における誤り文字列が指定される毎に、前記第１候補文字列生成表示ステップを用いて、該指定された誤り文字列における、または該指定された誤り文字列に含まれる各文字における認識単位となる区切りを示す切出し位置を可変としながら、１つ以上の前記候補文字列を生成し、生成された候補文字列中の所望される候補文字列を用いて、前記候補指定ステップにより指定された前記ある候補文字列を、その前記誤り文字列を修正して表示することを繰返す、文字認識誤り修正プログラムを記録したコンピュータで読取可能な記録媒体。
【発明の詳細な説明】
【０００１】
【発明の属する技術分野】
光学的文字認識装置またはオンライン手書き文字認識装置に適用されて、文字認識結果における認識誤りを修正するための文字認識誤り修正装置および文字認識誤り修正プログラムを記録したコンピュータで読取可能な記録媒体に関し、特に、認識誤りを効率よく、かつ簡単に修正することができる文字認識誤り修正装置および文字認識誤り修正プログラムを記録したコンピュータで読取可能な記録媒体に関する。
【０００２】
【従来の技術および発明が解決しようとする課題】
光学的文字認識またはオンライン手書き文字による方法においては、切出し誤りに起因した認識誤りが発生する。切出し誤りとは、たとえば光学的ないしはオンラインにより「認識」という横書きの文字列が入力された際に、認識単位である文字の区切りが誤って行なわれて、認識結果が「言忍識」などと誤認識される場合をいう。この場合、文字の切出し位置は本来「認」の前後で「識」の前後となるべきところを、「認」の偏である「言」の前後、旁である「忍」の前後、「識」の前後に誤って割当てられてしまったことになる。
【０００３】
上述したような文字切出し位置の誤りによる認識誤りは特に、光学的文字認識の分野において顕著な問題となっており、現在までにさまざまな切出し手法が考案されてきた。しかしながら、漢字や平仮名、英数字や記号に至る膨大な種類の文字や、活字における文字間接触、手書きによる多様な変形に対応できるような高精度の切出しは、未だに実現されていないのが現状である。
【０００４】
オンライン入力による手書き文字の認識は、通常タブレットなどを用いて指定された枠の中に文字を１文字ずつ記入する方式が主流となっている。枠なしの条件で文字を手書き入力する際も、文字切出しの不具合に起因する文字認識誤りが頻発する。また、指定された枠の中に文字を手書き入力する場合でも、たとえば「は」と「゜」を別々の枠に記入し「ぱ」と認識させたい場合や、同じ枠内に「きゃ」と記入して「き」「ゃ」を認識させたい場合など文字切出しにおける誤りを修正する必要がある。
【０００５】
上述した文字の切出しに関連ある技術として特開平２−８２３７９号公報に開示の技術がある。この公報では文字切出しの結果が外接矩形を用いて表示されるとともに、それに対応した認識結果の表示が行なわれる。ユーザは必要であれば表示される複数の認識候補文字の中から適切なものを選択して修正するか、もしくは修正文字の再入力を行なうものである。しかしながら、この方式でも、切出し誤りによって、文字の分離や結合が起こった場合、認識候補文字は無意味なものとなってしまう。この場合、利用者はもう一度同じ文字を入力しなければならず、作業の手戻りが大きく煩わしいという問題があった。
【０００６】
それゆえにこの発明の目的は、文字認識結果の誤りを簡単に、かつ正確に修正することのできる文字認識誤り修正装置および文字認識誤り修正プログラムを記録したコンピュータで読取可能な記録媒体を提供することである。
【０００７】
【課題を解決するための手段】
この発明に係る文字認識誤り修正方法は、少なくとも１つ以上の文字を含む文字列の認識結果を示す認識結果文字列を表示するための認識結果表示ステップと、表示された認識結果文字列における誤り文字列を指定する指定ステップと、指定された文字列を修正するために用いられる１つ以上の候補文字列を生成して表示する候補文字列生成表示ステップと、表示された候補文字列中の所望される候補文字列を用いて、誤り文字列を修正することにより認識結果文字列を修正するための修正ステップとを備えて構成される。そして、誤り文字列における、または該誤り文字列に含まれる各文字における認識単位となる区切りを示す切出し位置が可変とされながら、１つ以上の候補文字列が生成されることを特徴とする。
【０００８】
この発明に係る文字認識誤り修正方法によれば、認識結果文字列を修正する場合には、候補文字列生成表示ステップにより該認識結果文字列の誤りのある１部文字列または全文字列に関して切出し位置の違いによる１つ以上の候補文字列が生成されて提示されて、修正ステップによりその中の所望される候補文字列を用いて認識結果文字列の誤りが修正される。
【０００９】
したがって、認識結果文字列における切出し位置の誤りに起因した認識誤りを、修正文字列を入力することなく、所望される候補文字列を用いるだけで修正できるから、効率のよい修正を速やかに行うことができる。
【００１０】
この発明に係る文字認識誤り修正方法は、上述の方法における候補文字列生成表示ステップが、以下の特徴を備えて構成されてもよい。つまり、候補文字列生成表示ステップは、候補文字列のそれぞれにおける誤り文字列を指定するための候補指定ステップと、この指定された誤り文字列を修正するために用いられる１つ以上の候補文字列を生成して表示する第１候補文字列生成表示ステップと、ここで生成された候補文字列中の所望される候補文字列を用いて、候補指定ステップにより指定された誤り文字列を修正する候補修正ステップとをさらに含んで構成される。
【００１１】
上述の文字認識誤り修正方法によれば、候補文字列生成表示ステップにおいては、候補指定ステップによる候補文字列における誤り文字列の指定と、第１候補文字列生成表示ステップと候補修正ステップによる、指定された誤り文字列に関して、さらに候補文字列を生成して、所望される候補文字列を用いて誤りを修正する処理とが、階層的に繰返される。
【００１２】
したがって、このような階層的な処理の繰返しにより１つ以上の候補文字列において、誤り修正しながら、最終的に認識結果文字列の誤りを修正するのに最適な候補文字列を絞込むことができるから、複数箇所に誤りを含む認識結果文字列であっても、再度の文字入力を必要としないで適切な修正を速やかに行うことができる。
【００１３】
この発明に係る文字認識誤り修正方法は、上述した方法において、さらに次の特徴を備えて構成されてもよい。つまり、誤り文字列における、または該誤り文字列に含まれる各文字における認識単位となる区切りを示す切出し位置が固定とされて、１つ以上の候補文字列が生成されるという特徴をさらに有する。
【００１４】
上述した文字認識誤り修正方法によれば、認識結果文字列を修正する場合には、候補文字列生成表示ステップにより該認識結果文字列の誤りのある１部文字列または全文字列に関して切出し位置の違いによる、または切出し位置を固定とした１つ以上の候補文字列が生成されて提示されて、修正ステップによりその中の所望される候補文字列を用いて認識結果文字列の誤りが修正される。
【００１５】
したがって、切出し位置を固定とした候補文字列、または切出し位置を可変とした候補文字列を用いることで、候補文字列にバリエーションを持たせながら認識結果文字列における認識誤りを、修正文字列を入力することなく、効率よく速やかに修正できる。
【００１６】
この発明に係る文字認識誤り修正方法は、上述した方法において、さらに次の特徴を備えて構成されてもよい。つまり、切出し位置を固定とした１つ以上の候補文字列の生成、および切出し位置を可変とした１つ以上の候補文字列の生成という２つの生成手法のうち、所望されるいずれか一方を選択して実行する選択ステップをさらに備えて構成されてもよい。
【００１７】
この発明に係る文字認識誤り修正方法は、上述した方法において選択ステップにおける選択が、外部から与えられる選択指示に従って行われるよう構成されてもよい。
【００１８】
上述した文字認識誤り修正方法によれば、選択ステップにより、認識候補文字列の生成は、切出し位置を固定とした場合および切出し位置を可変とした場合のうち、所望されるいずれか一方が選択的に実行される。
【００１９】
したがって、利用者は、認識結果文字列の誤りが、単なる誤認織によるものであれば切出し位置固定による方を、切出し位置の誤りに起因した誤認識であれば切出し位置可変による方を選択的に実行させて候補文字列を得ることができるから、認識結果文字列における誤りを、何ら文字入力することなく、利用者が誤り修正するのに適すると判断して選択する手順および種類の候補文字列を用いて的確に修正することができる。
【００２０】
この発明に係る文字認識誤り修正方法は、上述したいずれかに記載の文字認識誤り修正方法がさらに、外部から無効指示が与えられたことに応じて、該無効指示が与えられるまでになされた処理内容を無効にするための処理無効ステップを備えて構成されてもよい。
【００２１】
上述した方法によれば、無効指示が与えられると、それまでに実行されていた誤り文字列の指定に関する処理、、または候補文字列の選択に関する処理、または認識結果文字列の修正そのものに関する処理が、強制的に無効とされる。
【００２２】
したがって、利用者は、認識結果文字列の誤り修正の処理をが行われている場合でも、所望に応じて無効指示を与えるだけで、それまでになされていた一連の処理内容を無効にできるから、利用者の誤った操作、または誤った指定のままで処理が進行して手戻り作業が発生するのが回避されて、効率の良い修正作業を行うことができる。
【００２３】
この発明に係る文字認識誤り修正装置は、少なくとも１つ以上の文字を含む文字列の認識の結果を示す認識結果文字列を表示するための認識結果表示手段と、表示された認識結果文字列における誤り文字列を指定する指定手段と、指定された文字列を修正するために用いられる１つ以上の候補文字列を生成して表示する候補文字列生成表示手段と、表示された候補文字列中の所望される候補文字列を用いて、誤り文字列を修正することにより認識結果文字列を修正するための修正手段とを備えて構成される。そして、誤り文字列における、または該誤り文字列に含まれる各文字における認識単位となる区切りを示す切出し位置が可変とされながら、１つ以上の候補文字列が生成される。
【００２４】
上述した装置によれば、認識結果文字列を修正する場合には、候補文字列生成表示手段により該認識結果文字列の誤りのある１部文字列または全文字列に関して切出し位置の違いによる１つ以上の候補文字列が生成されて提示されて、修正手段によりその中の所望される候補文字列を用いて認識結果文字列の誤りが修正される。
【００２５】
したがって、認識結果文字列における切出し位置の誤りに起因した認識誤りを、修正文字列を入力することなく、所望される候補文字列を用いるだけで修正できるから、効率のよい修正を速やかに行うことができる。
【００２６】
この発明に係る文字認識誤り修正方法をコンピュータに実行させるための文字認識誤り修正プログラムを記録したコンピュータで読取可能な記録媒体は、以下の特徴を有する。つまり、文字認識誤り修正方法は、少なくとも１つ以上の文字を含む文字列の認識結果を示す認識結果文字列を表示するための認識結果表示ステップと、表示された認識結果文字列における誤り文字列を指定する指定ステップと、指定された文字列を修正するために用いられる１つ以上の候補文字列を生成して表示する候補文字列生成表示ステップと、表示された候補文字列中の所望される候補文字列を用いて、誤り文字列を修正することにより認識結果文字列を修正するための修正ステップとを備える。そして、誤り文字列における、または該誤り文字列に含まれる各文字における認識単位となる区切りを示す切出し位置が可変とされながら、１つ以上の候補文字列が生成されることを特徴とする。
【００２７】
上述の記録媒体に記録されたプログラムによれば、認識結果文字列を修正する場合には、候補文字列生成表示ステップにより該認識結果文字列の誤りのある１部文字列または全文字列に関して切出し位置の違いによる１つ以上の候補文字列が生成されて提示されて、修正ステップによりその中の所望される候補文字列を用いて認識結果文字列の誤りが修正される。
【００２８】
したがって、認識結果文字列における切出し位置の誤りに起因した認識誤りを、修正文字列を入力することなく、所望される候補文字列を用いるだけで修正できるから、効率のよい修正を速やかに行うことができる。
【００２９】
【発明の実施の形態】
以下、この発明の各実施の形態について図面を参照して説明する。
【００３０】
図１は、この発明の各実施の形態に適用される文字認識誤り修正装置の機能構成図である。図２は、この発明の各実施の形態に適用される文字認識誤り修正装置のハードウェア構成図である。図３は、この発明の各実施の形態に適用される文字認識誤り修正のための処理フローチャートである。図４〜図１１のそれぞれはこの発明の実施の形態１〜７のそれぞれによる誤り修正手順を説明するための図である。
【００３１】
図１２は、この発明の各実施の形態における切出し位置による文字認識結果例を説明する図である。
【００３２】
この発明の各実施の形態で用いられる文字認識結果には、文字の切出し位置情報と、切出し位置に対応した認識候補情報が含まれる。
【００３３】
切出し位置情報とは、入力された文字列における切出し位置の候補を示す情報であり、前段の認識システムの切出し処理モジュールなどから得られる情報である。ただし、切出し位置情報には認識システムの切出し処理モジュールなどにより予め優先順位が付されているものとする。
【００３４】
認識候補情報とは各切出し位置情報に対応した認識文字コード列であり、認識システムの認識処理モジュールなどから得られる情報である。ただし、認識候補情報には認識システムの認識処理モジュールなどにより予め優先順位が付されているものとする。
【００３５】
図１２では、光学的もしくはオンラインによる文字入力手法を利用して、利用者が「認識」という横書きの文字列を入力した際、文字の切出しによって認識結果がどのように異なるかが示される。この発明の各実施の形態で用いられる「切出し位置固定の認識候補」および「切出し位置可変（切出し位置の違い）による認識候補」とは、それぞれ図１２の（１）および（２）に示されるような認識結果を示す。
【００３６】
図１２の（１）の場合、認識候補文字列には入力文字列に類似した文字コード列が割当てられる。切出し位置は固定であるから認識結果文字数に変動はない。
【００３７】
一方、図１２の（２）の場合、認識候補文字列は入力文字列に類似しており、かつ切出し位置の違いによる認識文字コード列が割当てられる。この場合、切出し位置は可変であるから認識結果文字列を構成する文字数は変動する。
【００３８】
図２において、文字認識誤り修正装置のハードウェア構成は、ＣＰＵ１００、ペンまたはマウスなどの座標指示装置２０１を含む入力部２００、メモリ３００、ディスプレイまたはタブレットなどの表示装置４０１を含む出力部４００、インターネットを含む通信ネットワーク６００、通信ネットワーク６００と該装置とを通信接続するためのＩ／Ｆ部５００からなる。
【００３９】
図１において文字認識誤り修正装置の機能構成は認識結果記憶部１、認識結果表示部２、範囲指定部３、切出し位置可変／固定選択部４、切出し位置可変認識候補表示部５、切出し位置可変認識候補選択部６、切出し位置可変認識結果更新部７、切出し位置固定認識候補表示部８、切出し位置固定認識候補選択部９、切出し位置固定認識結果更新部１０、および無効処理部１１からなる。
【００４０】
認識結果記憶部１は修正可能な仮の文字認識結果をメモリ３００に適宜記憶させるためのものである。認識結果における切出し位置情報および認識候補情報は、当該文字認識誤り修正装置に関連して設けられる前段の認識システム（図示せず）の切出し処理モジュール（図示せず）や認識処理モジュール（図示せず）などから得られる情報である。後述する切出し位置可変認識結果更新部７または切出し位置固定認識結果更新部１０によって認識結果が更新されると、更新された認識結果（切出し位置情報およびこれに対応した認識候補情報）の優先順位がメモリ３００において入れ替るよう処理される。
【００４１】
認識結果表示部２は、認識結果記憶部１によりメモリ３００に記憶される認識結果の切出し位置情報および認識候補情報の優先順位が最も高いものを表示装置４０１に表示するよう処理する。範囲指定部３は、表示装置４０１に表示された文字列において利用者が修正したい文字列の範囲（部分または全部）を座標指示装置２００を用いて指定するために設けられる。
【００４２】
切出し位置可変／固定選択部４は、範囲指定部３で範囲指定された文字列に対する修正処理を、切出し位置を固定して行なうのか、それとも可変にして行なうのかを選択指定するために設けられる。この選択指定は、利用者が座標指示装置２０１を用いて範囲指定部３で範囲指定された文字列を特定の回数タッチ（指示）することによって行なわれる。切出し位置固定の場合、範囲指定された文字列に対し、図１２の（１）で示されたように文字数変動がない認識候補文字列の処理となる。切出し位置可変の場合は、範囲指定された文字列に対し、図１２の（２）で示されたように切出し位置の違いにより文字数が変動する認識候補文字列の処理となる。
【００４３】
切出し位置可変認識候補表示部５は、範囲指定部３で範囲指定された文字列に対し、切出し位置の違いによる認識候補文字列を表示装置４０１に表示するためのものである。
【００４４】
切出し位置可変認識候補選択部６は、切出し位置可変認識候補表示部５により表示装置４０１に表示された１つ以上の認識候補文字列の中から、利用者が所望するものを座標指示装置２０１を用いて選択するために設けられる。切出し位置可変認識結果更新部７は、切出し位置可変認識候補選択部６により選択された認識候補文字列をもとに、文字の切出し位置情報と、切出し位置に対応した認識候補情報とを更新し、これら更新された情報を認識結果記憶部１に与えるためのものである。
【００４５】
切出し位置固定認識候補表示部８は、範囲指定部３で範囲指定された文字列に対して、切出し位置固定の１つ以上の認識候補文字列を表示装置４０１に表示するためのものである。切出し位置固定認識候補選択部９は、切出し位置固定認識候補表示部８により表示装置４０１に表示された１つ以上の認識候補文字列の中から、利用者が座標指示装置２０１を用いて所望するものを選択するために設けられる。切出し位置固定認識結果更新部１０は、切出し位置固定認識候補選択部９によって選択された認識候補文字列をもとに文字の切出し位置情報と、切出し位置に対応した認識候補情報とを更新し、更新されたこれらの情報を認識結果記憶部１に与えるために設けられる。
【００４６】
無効処理部１１は文字列の修正範囲指定、または１つ以上の認識候補文字列からの認識候補の選択指定を無効にしたり、誤り修正作業そのものを中止するために設けられる。
【００４７】
図１に示される各部の機能はプログラムとして予めメモリ３００の所定のプログラム記憶領域に記憶され、ＣＰＵ１００により読出されて実行される。各部の機能は後述する各フローチャートにおいて説明される。
【００４８】
（実施の形態１）
以下、実施の形態１について説明する。実施の形態１では図３のＳ２、Ｓ４、Ｓ５、Ｓ７およびＳ８の処理は除外される。
【００４９】
図３において認識結果記憶部１により予めメモリ３００に記憶された修正可能な仮の認識結果、もしくは更新された認識結果が、認識結果表示部２により表示装置４０１に表示される（Ｓ１）。そして、表示装置４０１に表示された認識結果である文字列の修正が所望される場合には、修正が所望される部分（または全部）文字列が範囲指定部３により指定される（Ｓ３）。そして、範囲指定された文字列に関して、切出し位置可変認識候補表示部５による切出し位置の違いによる１つ以上の認識候補文字列が表示装置４０１に表示される。
【００５０】
そして表示装置４０１に表示された１つ以上の認識候補文字列の中から、利用者が切出し位置可変認識候補選択部６を介して、所望するもの（適正なもの）を選択する。そして選択された認識候補文字列をもとに、切出し位置可変認識結果更新部７および認識結果記憶部１によりメモリ３００における切出し位置情報とそれに対応した認識候補情報とが認識結果として更新される。その後、表示装置４０１に表示された１つ以上の認識候補文字列の表示、および文字列の範囲指定状態が解除される（Ｓ１６、Ｓ１７）。
【００５１】
本実施の形態による誤り修正手順を図４を参照して説明する。まず修正可能な仮の認識結果である文字列が表示装置４０１に表示される（Ｓｔ−００）。この状態において、「手書き文字認識」という入力に対し「牛書き文字言忍識」という認識結果文字列が得られている。この状態では、「手」→「牛」という認識誤りと、「認識」→「言忍識」という切出しによる誤りが発生している。
【００５２】
次に利用者は座標指示装置２０１を用いて表示装置４０１に表示される認識結果文字列において修正を所望する部分の文字列を指定する（Ｓｔ−１１）。ここでは、全文字列が指定される。指定された文字列に関して切出し位置の違いによる（切出し位置可変による）認識候補文字列が、認識結果文字列に対応して１つ以上表示される（Ｓｔ−１２）。そして、利用者が、表示された１つ以上の認識候補文字列の中から所望するもの（適正と思われるもの）を座標指示装置２０１を用いて選択すると、選択された認識候補文字列により表示装置４０１における認識結果文字列が更新表示されて（Ｓｔ−１４）、処理は終了する。
【００５３】
なお、図中では、斜線で示される認識結果文字列における範囲指定と、認識候補文字列の選択とを区別して示すため、認識候補文字列の先頭には●印が付けてある。利用者はこの●印を座標指示装置２０１で操作（タッチ）することにより対応する認識候補文字列を選択することができる。
【００５４】
このように、実施の形態１によれば実際に文字認識における誤りを修正する場合に、認識結果文字列の一部またはすべてに関して切出し位置の違いによる認識候補文字列を１つ以上出力させ、その中から利用者が適切と思われるものを選択する方式が採用される。これにより、利用者は修正文字を再度入力することなく、適正な修正を簡単に行なうことができる。
【００５５】
（実施の形態２）
以下、実施の形態２について説明する。実施の形態２では図３におけるＳ２、Ｓ４、Ｓ７およびＳ８の処理は除外される。
【００５６】
まず前述と同様にして文字認識結果文字列が表示装置４０１に表示されて、表示された認識結果文字列の修正を所望する部分（全部）の文字列が利用者により範囲指定される（Ｓ１およびＳ３）。
【００５７】
そして、範囲指定された文字列に対して、利用者が座標指示装置２０１により特定の回数、たとえば１回タッチする。タッチされた回数が１回であることに応じて、切出し位置可変の処理が所望されていると判断されて、前述したＳ６以降の切出し位置可変の処理が開始される（Ｓ５）。
【００５８】
上述の処理を、図５を参照して説明する。表示装置４０１には認識結果文字列（牛書き文字言忍識）が表示される（Ｓｔ−００）。これを見た利用者が、座標指示装置２０１を用いて修正する文字列の範囲を指定する。ここでは、文字列すべてが指定される（Ｓｔ−２１）。そして、指定された文字列に関して、利用者が座標指示装置２０１を用いて１回タッチする（ペンでは１回触れる、マウスでは１回クリックする）ことにより、切出し位置の違いによる（切出し位置可変による）認識候補文字列が１つ以上表示される（Ｓｔ−２２、Ｓｔ−２３）。そして表示された１つ以上の認識候補文字列の中から座標指示装置２０１を用いて所望するもの（適正なもの）が選択されると（Ｓｔ−２４）、選択された認識候補文字列を用いて認識結果文字列が更新されて処理は終了する（Ｓｔ−２５）。
【００５９】
本実施の形態では認識結果文字列の一部が切出し誤りを起こしている場合、誤った部分文字列だけを範囲指定して修正した方が認識候補のバリエーションを、より確実に絞り込むことができて、より適切な修正が速やかに可能となる。
【００６０】
（実施の形態３）
次に実施の形態３について説明する。この実施の形態では図３においてＳ２、Ｓ４、Ｓ１２およびＳ１３の処理は除外される。
【００６１】
まず、認識結果文字列が表示装置４０１に表示されて、利用者により座標指示装置２０１を用いて修正が所望される部分の文字列が範囲指定される（Ｓ１およびＳ３）。
【００６２】
そして範囲指定された文字列に対して、利用者が座標指示装置２０１を操作して実施の形態２で示された回数とは異なる特定の回数、たとえば２回触れることにより、切出し位置可変／固定選択部４により切出し位置固定の処理が選択される（Ｓ５）。そして、範囲指定された文字列に対して、切出し位置固定認識候補表示部８により、切出し位置を固定にした場合の１つ以上の認識候補文字列が、認識結果文字列に対応して表示される（Ｓ１１）。
【００６３】
利用者は、表示装置４０１に表示された認識候補文字列中から、座標指示装置２０１を操作して所望する（適正と判断する）文字列を、切出し位置固定認識候補選択部９により選択する。選択された文字列は切出し位置固定認識結果更新部１０に与えられる（Ｓ１４）。そして、切出し位置固定認識結果更新部１０および認識結果記憶部１により、選択された認識候補文字列に基づいて、認識結果情報とそれに対応した切出し位置情報が更新される（Ｓ１５）。そして、表示装置４０１における認識候補文字列の表示が解除されるとともに、認識結果文字列における文字列の範囲指定が解除される（Ｓ１６およびＳ１７）。
【００６４】
上述の処理を、図６を参照して説明する。まず、認識結果文字列（牛書き文字言忍識）が表示装置４０１に表示される（Ｓｔ−００）。次に、利用者が座標指示装置２０１を用いて認識結果文字列において修正する部分文字列（牛書き）を指定する（Ｓｔ−３１）。次に指定文字列に関して利用者が座標指示装置２０１のペンを用いて２回触れるか、もしくは座標指示装置２０１のマウスを用いて２回クリックすることにより（Ｓｔ−３２）、指定文字列に関する切出し位置固定の１つ以上の認識候補文字列が表示装置４０１に指定文字列に対応して表示される（Ｓｔ−３３）。利用者は表示される認識候補文字列の中から所望するもの（適正と思われるもの）を座標指示装置２０１を用いて選択すると（Ｓｔ−３４）、選択された文字列を用いて指定文字列が更新され、結果的に認識結果文字列が表示更新されて処理は終了する（Ｓｔ−３５）。
【００６５】
本実施の形態によれば、認識結果文字列の一部文字列が、正確に切出されているものの認識誤りを起こしている場合には、誤った部分文字列だけを範囲指定して修正した方が認識候補文字列のバリエーションを的確に絞ることができるので、より適切な修正が速やかに可能となる。
【００６６】
（実施の形態４）
以下、実施の形態４について説明する。この実施の形態の処理では図３のＳ２、Ｓ４およびＳ７の処理は除外される。
【００６７】
まず認識結果文字列が表示装置４０１に表示されて、それを見た利用者は座標指示装置２０１を用いて修正を所望する部分文字列の範囲を指定する（Ｓ１およびＳ３）。そして範囲指定された文字列を座標指示装置２０１によりタッチされた回数に応じて、切出し位置可変の処理が行なわれて、切出し位置可変による１つ以上の認識候補文字列が表示される（Ｓ６）。切出し位置可変による１つ以上の認識候補文字列の中に適当なものがあればそれが選択されて、選択された候補文字列を用いて認識結果文字列は更新される（Ｓ８、Ｓ９およびＳ１０）。
【００６８】
一方、表示された１つ以上の認識候補文字列中のある文字列について、一部またはすべての文字列を、利用者が座標指示装置２０１を用いて修正対象として範囲指定すると、再度Ｓ３の処理に戻って、以降の処理が同様に行なわれる。
【００６９】
上述の処理を、図７を参照して説明する。
まず認識結果文字列が表示装置４０１に表示される（Ｓｔ−００）。そして利用者が座標指示装置２０１を用いて修正する部分文字列を指定する。ここでは、認識結果文字列の全文字列が指定される（Ｓｔ−４１）。指定された文字列に関して、利用者が座標指示装置２０１のペンを用いて１回触れるか、座標指示装置２０１のマウスを１回クリックすることにより、切出し位置の違いによる（切出し位置可変による）１つ以上の認識候補文字列が認識結果文字列に対応して表示される（Ｓｔ−４２およびＳｔ−４３）。
【００７０】
さらに、利用者が座標指示装置２０１を用いて、表示された認識候補文字列の中から、修正を所望する文字列を指定して、指定された文字列に関して座標指示装置２０１のペンを１回触れるか、もしくはマウスを１回クリックすることにより、切出し位置の違いによる（切出し位置可変による）１つ以上の認識候補文字列が修正を所望するものとして指定された文字列に対応して表示される（Ｓｔ−４４〜４６）。表示された１つ以上の認識候補文字列の中から利用者が所望するもの（適正と思われるもの）を、座標指示装置２０１を用いて選択指定すると（Ｓｔ−４７）、Ｓｔ−４４で指定された文字列が、直前に選択された文字列を用いて更新される（Ｓｔ−４８）。この結果、認識候補文字列の中において、適正とされる文字列が生成されるから、利用者は座標指示装置２０１を用いて改めて適正となるように修正された認識候補文字列を選択すると（Ｓｔ−４８）、選択された文字列を用いて認識結果文字列が更新され、処理は終了する（Ｓｔ−４９）。
【００７１】
上述したように、本実施の形態は、認識結果文字列の中で複数箇所の切出し誤りをまとめて修正したい場合に適する。この場合、最初は大まかな範囲を指定しておき（Ｓｔ−４２）、徐々に範囲を絞り込んで修正しながら、適正となるように修正された認識候補文字列が選択される（Ｓｔ−４８）とした方が、より適切な修正が速やかに可能となる。
【００７２】
（実施の形態５）
次に実施の形態５について説明する。実施の形態５では図２中のＳ２、Ｓ４およびＳ１２の処理は除外される。
【００７３】
まず認識結果文字列が表示装置４０１に表示されて、利用者は座標指示装置２０１を操作して修正を所望する部分（または全部）の文字列の範囲を指定する（Ｓ３）。そして、範囲指定された文字列に対して利用者は座標指示装置２０１を操作して特定の回数触れることにより、切出し位置固定による１つ以上の認識候補文字列が表示される（Ｓ５およびＳ１１）。利用者は、表示された１つ以上の認識候補文字列中のある認識候補文字列の一部もしくは全部の文字列を座標指示装置２０１を用いて範囲指定する（Ｓ１３）。表示される１つ以上の認識候補文字列中から所望される（適正とされる）文字列が選択された場合には、選択された文字列を用いて認識結果文字列が更新される（Ｓ１４およびＳ１５）。
【００７４】
一方、認識候補文字列中の選択された認識候補文字列について、範囲指定された文字列に関しては、Ｓ３以降の処理が同様にして行なわれる。
【００７５】
上述の処理を、図８を参照して説明する。まず認識結果文字列が表示装置４０１に表示される（Ｓｔ−００）。そして、利用者が座標指示装置２０１を用いて修正する文字列“牛書”を指定する（Ｓｔ−５１）。そして指定された文字列に関して利用者が座標指示装置２０１のペンで２回触れるか、もしくはマウスで２回クリックすることにより、“牛書”に対応の切出し位置固定による１つ以上の認識候補文字列が表示される（Ｓｔ−５２および５３）。さらに利用者が座標指示装置２０１を用いて、Ｓｔ−５３で表示された１つ以上の認識候補文字列の中から、さらに修正を所望する文字列“暑”を指定する（Ｓｔ−５４）。指定された文字列に関して利用者がペンを２回触れるか、もしくはマウスを２回クリックすることにより、切出し位置固定の１つ以上の認識候補文字列が表示される（Ｓｔ−５５および５６）。そして表示された１つ以上の認識候補文字列の中から利用者が所望する（適正と思われる）文字列“書”を、座標指示装置２０１を用いて選択すると、選択された文字列を用いてＳｔ−５４で指定された認識候補文字列が更新される（Ｓｔ−５７および５８）。これら更新の結果により、適正となるように修正された認識候補文字列が、利用者により選択されることにより、認識結果文字列が選択された文字列を用いて更新され、処理は終了する（Ｓｔ−５９）。
【００７６】
認識結果文字列の中で誤り部分を範囲指定する際、複数箇所の認識誤りをまとめて修正したい場合が往々にして起こり得る。この場合、本実施の形態が有効である。つまり、最初は大まかな範囲を指定しておき、続いて誤りの文字列を適宜指定して修正した方が、より適正な修正が速やかに可能となる。
【００７７】
（実施の形態６）
次に、実施の形態６について説明する。
【００７８】
本実施の形態では図３のＳ２、Ｓ３、Ｓ７およびＳ２の処理は除外される。
まず認識結果文字列が表示装置４０１に表示されて、利用者は座標指示装置２０１を用いて修正を所望する部分文字列の範囲を指定し、その指定された部分文字列に対し切出し位置可変の認識候補文字列を表示させるのか、切出し位置固定の認識候補文字列を表示させるのかが選択される（Ｓ１、Ｓ３およびＳ５）。
【００７９】
切出し位置可変が選択された場合は、前述と同様にしてＳ６、Ｓ８〜Ｓ１０の処理が行なわれる。一方、切出し位置固定が選択された場合には、Ｓ１１、Ｓ１３、Ｓ１４およびＳ１５の処理が前述と同様にして行なわれる。
【００８０】
上述の処理を、図９を参照し説明する。まず認識結果文字列が表示される（Ｓｔ−００）。
【００８１】
続いて利用者が座標指示装置２０１を用いて認識結果文字列において修正を所望する部分（全部）の文字列を指定する。指定された文字列、この場合“牛書き文字言忍識”に関して、利用者が座標指示装置２０１のペンを１回触れるか、もしくは座標指示装置２０１のマウスを１回クリックすることにより、切出し位置可変による１つ以上の認識候補文字列が認識結果文字列と対応して表示される（Ｓｔ−Ａ６１〜６３）。
【００８２】
Ｓｔ−Ａ６３の表示状態において、１つ以上の認識候補文字列の中から利用者が所望する文字列が座標指示装置２０１を用いて選択されるので、選択された文字列を用いて認識結果文字列が更新されて一連の処理は終了する（Ｓｔ−Ａ６４および６５）。
【００８３】
一方、Ｓｔ−Ａ６３の表示状態からさらに、利用者が座標指示装置２０１を用いて表示された１つ以上の認識候補文字列の中からさらに修正を所望する文字列を指定し、指定された文字列に関して座標指示装置２０１のペンを１回触れるか、もしくは座標指示装置２０１のマウスを１回クリックすることにより、切出し位置の違いによる（切出し位置可変の）１つ以上の認識候補文字列が指定された文字列に対応して表示される（Ｓｔ−Ｃ６１〜６３）。そして表示された１つ以上の認識候補文字列中から利用者が適正と思われるものを座標指示装置２０１を用いて選択すると、直前に指定された文字列が選択された文字列を用いて更新される（Ｓｔ−Ｃ６４、６５）。ここで、１つ以上の認識候補文字列中から利用者が所望するものを座標指示装置２０１を用いて選択すると、認識結果文字列が選択された文字列を用いて更新され、一連の処理は終了する（Ｓｔ−Ｃ６６）。
【００８４】
一方、Ｓｔ−００の状態から、利用者が座標指示装置２０１を用いて修正を所望する文字列を指定し、指定された文字列に関して、利用者がペンを２回触れるか、もしくはマウスを２回クリックすることにより、指定文字列に関する切出し位置固定の１つ以上の認識候補文字列が表示される（Ｓｔ−Ｂ６１〜６３）。
【００８５】
Ｓｔ−Ｂ６３の表示状態において、利用者が座標指示装置２０１を用いて１つ以上の認識候補文字列中から適正と思われるものを選択すると、選択された文字列を用いて認識結果文字列が更新され、一連の処理は終了する（Ｓｔ−Ｂ６４、６５）。
【００８６】
一方Ｓｔ−Ｂ６３の表示状態において、さらに利用者が座標指示装置２０１を用いて表示された１つ以上の認識候補文字列の中から修正を所望する文字列を指定し、指定された文字列に関してペンを１回触れるか、もしくはマウスを１回クリックすることにより切出し位置の違いによる（切出し位置可変の）認識候補文字列が１つ以上表示される。そして表示された１つ以上の認識候補文字列について以下同様に処理が繰返される。
【００８７】
しかし、この場合はＳｔ−Ｂ６３の表示状態において、既に表示された１つ以上の認識候補文字列の中に、利用者が適正と判断するであろう“手”という候補文字列が存在するため、図９では、さらなる修正に関する処理は省略される。
【００８８】
認識結果文字列の中で誤りの部分を範囲指定する際、複数箇所の切出し誤り、もしくは認識誤りをまとめて修正したい場合が往々にして起こり得る。この場合には、本実施の形態が有効である。つまり、最初は大まかな範囲を指定しておき、続いて誤りの文字列を適宜指定して修正した方が、認識結果文字列に関してより適正な修正が速やかに可能となる。
【００８９】
（実施の形態７）
次に実施の形態７について説明する。実施の形態７では図３のＳ２、Ｓ４、Ｓ７およびＳ１２の無効処理が有効とされる。
【００９０】
前述した実施の形態１〜６までの処理において、利用者が表示装置４０１上の何も表示されていない部分において座標指示装置２０１でタッチすることにより修正処理そのものを中止（強制終了）することができる（Ｓ２）。
【００９１】
また実施の形態１〜６の処理において利用者が表示装置４０１の何も表示されていない部分において座標指示装置２０１でタッチすることで、Ｓ３で範囲指定された文字列の指定状態を解除することができる（Ｓ４）。
【００９２】
また、実施の形態１、２、４および６において、利用者が表示装置４０１の何も表示されていない部分において座標指示装置２０１で触れることにより、Ｓ６で表示された認識候補文字列の表示が解除（消去）される。
【００９３】
また実施の形態３、５および６において、利用者が表示装置４０１の何も表示されていない部分において座標指示装置２０１でタッチすることにより、Ｓ１１で表示された１つ以上の認識候補文字列の表示を解除（消去）させることができる（Ｓ１２）。
【００９４】
上述の処理を図１０と図１１を参照し説明する。
図１０の処理は、図５において実施の形態７による処理が追加されたものである。まず、認識結果文字列が表示される（Ｓｔ−００）。この表示状態において、利用者が座標指示装置２０１を用いて表示装置４０１の何も表示されていない部分にタッチすると、一連の誤り修正処理が強制終了する（Ｓｔ−Ａ７３および７４）。
【００９５】
またＳ３の処理により範囲指定された部分文字列が表示されている状態において、利用者が座標指示装置２０１を用いて表示装置４０１の何も表示されていない部分をタッチすることにより一連の処理は強制的に終了する（Ｓｔ−Ａ７３および７４）。
【００９６】
また、認識結果文字列に対応して切出し位置可変による１つ以上の認識候補文字列が表示されている状態（Ｓｔ−２３）において、利用者が座標指示装置２０１を用いて表示装置４０１上の何も表示されていない部分にタッチすると一連の修正処理は強制的に終了する（Ｓｔ−Ａ７５および７６）。
【００９７】
図１１の処理は、図６の処理において本実施の形態による処理が追加されたものである。まず、認識結果文字列が表示される（Ｓｔ−００）。この状態において、利用者が座標指示装置２０１を用いて表示装置４０１上の何も表示されていない部分にタッチすると一連の修正処理は強制的に終了する（Ｓｔ−Ｂ７１および７２）。
【００９８】
また、認識結果文字列の修正を所望する部分文字列に対応して範囲指定がされた状態において（Ｓｔ−３１）、利用者が座標指示装置２０１を用いて表示装置４０１の何も表示されていない部分にタッチすると一連の修正処理は終了する（Ｓｔ−Ｂ７３および７４）。
【００９９】
また範囲指定された文字列に関して、切出し位置固定の１つ以上の認識候補文字列が対応して表示されている状態において（Ｓｔ−３３）、利用者が座標指示装置２０１を用いて表示装置４０１の何も表示されていない部分にタッチすると、一連の修正処理が強制的に終了する（Ｓｔ−Ｂ７５および７６）。
【０１００】
認識結果文字列の中で誤りの部分文字列に対応の範囲を指定する際や認識候補文字列中から所望する認識候補文字列を選択する際において、たとえば操作（範囲指定、選択）の誤りに気づいて一連の操作を無効にしたい場合や修正処理そのものを一旦中止したい場合が往々にして起こり得る。その場合には、本実施の形態は有効である。つまり、修正箇所指定および認識候補文字列選択を無効にすることや、修正処理そのものを中止（強制的に終了）することが利用者の所望に応じて速やかにできて、手戻り作業を回避しながら効率のよい修正を行なうことができる。
【０１０１】
以上説明された文字認識誤り修正装置は、文字認識誤り修正処理を機能させるためのプログラムで実現される。このプログラムはコンピュータで読取可能な記録媒体に格納されている。この発明の各実施の形態では、この記録媒体として、図２に示されている装置で処理が行われるために必要な図示されないメモリ、例えばＲＯＭのようなものそのものがプログラム記録媒体であってもよいし、また、図示されないが外部記憶装置としてプログラム読取装置が設けられ、そこに挿入されることで読取可能とされるプログラム記録媒体であってもよい。いずれにおいても、格納されているプログラムはＣＰＵ１００によりアクセスされて実行される構成であってもよいし、あるいは、いずれの場合もプログラムを読出し、読出されたプログラムは、図２の装置の所定プログラム記憶エリア、例えばメモリ３００の所定のプログラム記憶領域にロードされて、ＣＰＵ１００により読出されて実行される構成であってもよい。このロード用のプログラムは、予め本体装置に格納されているものとする。
【０１０２】
ここで、上述のプログラム記憶媒体は、本体と分離可能に構成される記録媒体であり、磁気テープやカセットテープなどのテープ系、フレキシブルディスクやハードディスクなどの磁気ディスクやＣＤ−ＲＯＭ／ＭＯ／ＭＤ／ＤＶＤなどの光ディスクのディスク系、ＩＣカード（メモリカードを含む）／光カードなどのカード系、あるいはマスクＲＯＭ、ＥＰＲＯＭ、ＥＥＰＲＯＭ、フラッシュＲＯＭなどによる半導体メモリを含めた固定的にプログラムを担持する媒体であってもよい。
【０１０３】
また、この発明に係る各実施の形態に適用される図２の装置は、インターネットを含む通信ネットワーク６００と接続可能なシステム構成であることから、通信ネットワーク６００からプログラムをダウンロードするように流動的にプログラムを担持する媒体であってもよい。なお、このように通信ネットワーク６００からプログラムをダウンロードする場合には、そのダウンロード用プログラムは、予め装置本体に格納しておくか、あるいは別な記録媒体から予めインストールされるものであってもよい。
【０１０４】
なお、記録媒体に格納されている内容としてはプログラムに限定されず、データであってもよい。
【０１０５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０６】
【発明の効果】
この発明に係る文字認識誤り修正方法、装置および記録媒体に記録された文字認識誤り修正プログラムによれば、認識結果文字列における切出し位置の誤りに起因した認識誤りを、修正文字列を入力することなく、所望される候補文字列を用いるだけで修正できるから、効率のよい修正を速やかに行うことができる。
【０１０７】
また、この発明に係る文字認識誤り修正方法によれば、階層的な処理の繰返しにより１つ以上の候補文字列において、誤り修正しながら、最終的に認識結果文字列の誤りを修正するのに最適な候補文字列を絞込むことができるから、複数箇所に誤りを含む認識結果文字列であっても、再度の文字入力を必要としないで適切な修正を速やかに行うことができる。
【０１０８】
また、この発明に係る文字認識誤り修正方法によれば、切出し位置を固定とした候補文字列、または切出し位置を可変とした候補文字列を用いることで、候補文字列にバリエーションを持たせながら認識結果文字列における認識誤りを、修正文字列を入力することなく、効率よく速やかに修正できる。
【０１０９】
また、この発明に係る文字認識誤り修正方法によれば、利用者は、認識結果文字列の誤りが、単なる誤認織によるものであれば切出し位置固定による方を、切出し位置の誤りに起因した誤認識であれば切出し位置可変による方を選択的に実行させて候補文字列を得ることができるから、認識結果文字列における誤りを、何ら文字入力することなく、利用者が誤り修正するのに適すると判断して選択する手順および種類の候補文字列を用いて的確に修正することができる。
【０１１０】
また、この発明に係る文字認識誤り修正方法によれば、利用者は、認識結果文字列の誤り修正の処理をが行われている場合でも、所望に応じて無効指示を与えるだけで、それまでになされていた一連の処理内容を無効にできるから、利用者の誤った操作、または誤った指定のままで処理が進行して手戻り作業が発生するのが回避されて、効率の良い修正作業を行うことができる。
【図面の簡単な説明】
【図１】  この発明の各実施の形態に適用される文字認識誤り修正装置の機能構成図である。
【図２】  この発明の各実施の形態に適用される文字認識誤り修正装置のハードウェア構成図である。
【図３】  この発明の各実施の形態に適用される文字認識誤り修正のための処理フローチャートである。
【図４】  この発明の実施の形態１による誤り修正手順を説明するための図である。
【図５】  この発明の実施の形態２による誤り修正手順を説明するための図である。
【図６】  この発明の実施の形態３による誤り修正手順を説明するための図である。
【図７】  この発明の実施の形態４による誤り修正手順を説明するための図である。
【図８】  この発明の実施の形態５による誤り修正手順を説明するための図である。
【図９】  この発明の実施の形態６による誤り修正手順を説明するための図である。
【図１０】  この発明の実施の形態７による誤り修正手順を説明するための図である。
【図１１】  この発明の実施の形態７による誤り修正手順を説明するための図である。
【図１２】  この発明の各実施の形態に関連させて、切出し位置による文字認識結果例を説明する図である。
【符号の説明】
１  認識結果記憶部、２  認識結果表示部、３  範囲指定部、４  切出し位置可変／固定選択部、５  切出し位置可変認識候補表示部、６  切出し位置可変認識候補選択部、７  切出し位置可変認識結果更新部、８  切出し位置固定認識候補表示部、９  切出し位置固定認識候補選択部、１０  切出し位置固定認識結果更新部、１１  無効処理部、１００  ＣＰＵ、２００  入力部、２０１  座標指示装置、３００  メモリ、４００  出力部、４０１  表示装置、５００  Ｉ／Ｆ部、６００  通信ネットワーク。
【図１】
0003986708.tif 000002
【図２】
0003986708.tif 000003
【図３】
0003986708.tif 000004
【図４】
0003986708.tif 000005
【図５】
0003986708.tif 000006
【図６】
0003986708.tif 000007
【図７】
0003986708.tif 000008
【図８】
0003986708.tif 000009
【図９】
0003986708.tif 000010
【図１０】
0003986708.tif 000011
【図１１】
0003986708.tif 000012
【図１２】
0003986708.tif 000013